(57)【特許請求の範囲】
【請求項１】
上端または上縁部（１２）を有する少なくとも１つの要素を有する椅子の背（１１）を含む椅子（１）のためのクレードル（１０）において、前記クレードルは、前記クレードルの後部分の上に少なくとも１つのフック手段（１２２）を含み、前記フック手段（１２２）は、前記クレードルが前記椅子の背の要素の上端、上部分、または上縁部の上に掛けられることを可能にし、前記クレードルはさらに、前記椅子の背の上に掛けられていない場合に、床のような基部に単体で立つことが可能であり、両方の場合、乳幼児または小さな子供のためのクレードルまたはシートとして用いられることが可能であり、
前記椅子の背の要素の少なくとも１つは下縁部を含み、
前記クレードルは、非動作位置から動作位置へと動かされるよう構成される少なくとも１つの移動可能なロック装置（３００，３０９，３１０）を前記クレードルの後部分に含み、
前記非動作位置では、前記椅子に対する前記クレードルの移動が制限されず、前記動作位置では、前記ロック装置（３００，３０９，３１０）が、前記椅子の背の要素の少なくとも１つの下縁部に対して支持して前記クレードルを前記椅子にロックし、
前記ロック装置（３００，３０９，３１０）は、非動作位置にある際には、前記クレードルの中に収納され、
前記ロック装置（３００，３０９，３１０）は、前記クレードルの外側上にて手が届く、前記クレードルの前記外側においてハンドルに統合される、または前記クレードルの前記外側において凹部の形態にある前記ハンドルに統合されるボタン（１３０，１３１，３０１）若しくはレバーによって動作可能である、クレードル。
【請求項２】
前記椅子の背の要素は、１つ以上のクロスレール（３，４，５０３）、側部材（２）、後脚（２２）、または中央のステム（５０２）からなる群から選択され、前記クレードルは、前記椅子の背の要素のうちの１つ以上の上端または上縁部（１２）の上にフック手段（１２２）により掛けられ得る、請求項１に記載のクレードル。
【請求項３】
前記クレードルは、前記椅子の背の要素の実質的に水平な上縁部の上に掛けられ得る、請求項２に記載のクレードル。
【請求項４】
前記クレードルは、前記クロスレール（３，４，５０３）の実質的に水平な上縁部の上に掛けられ得る、請求項２または請求項３に記載のクレードル。
【請求項５】
前記フック手段（１２２）は、前記椅子の背の要素の上端、上部分、または上縁部の上に嵌合するよう適合されるフェルール（３２３）である、請求項２〜請求項４のいずれか１項に記載のクレードル。
【請求項６】
前記椅子の背の要素は、前記側部材（２）、前記椅子の上部分、または後脚（２２）のうちの１つ以上から選択される、請求項５に記載のクレードル。
【請求項７】
前記ロック装置（３００）は、少なくとも１つの摺動可能なロック装置を含み、前記摺動可能なロック装置は、前記クレードルに摺動可能に取り付けられ、かつ前記クレードルが椅子の背に掛けられると、動作位置においてクロスレール（３，４）の水平な下縁部に対して支持するように非動作位置から移動可能である、請求項１〜請求項６のいずれか１項に記載のクレードル。
【請求項８】
前記摺動可能なロック装置はバー形状である、請求項７に記載のクレードル。
【請求項９】
前記摺動可能なロック装置は、前記クレードルの側部材と平行な方向に移動可能である、請求項７または請求項８に記載のクレードル。
【請求項１０】
前記ロック装置（３００）は、前記クレードル上に旋回可能に搭載される少なくとも１つのフックを含み、当該フックは、前記クレードルが椅子の背の上に掛けられると、動作位置においてクロスレール（３，４）の水平な下縁部の周りを把持するよう非動作位置から回転することが可能である、請求項１〜請求項６のいずれか１項に記載のクレードル。
【請求項１１】
前記ロック装置は、摺動可能および旋回可能な形態の組合せを含む、請求項７〜１０のいずれか１項に記載のクレードル。
【請求項１２】
前記ロック装置（３００）は、非動作位置から前記クレードルを前記椅子にロックするための動作位置にロック装置を動かすためにばね荷重が加えられる、請求項１〜１１のいずれか１項に記載のクレードル。
【請求項１３】
前記クレードルは、前記クレードルが前記椅子に正しく搭載されているかどうかを示す表示パネルを含む、請求項１〜１２のいずれか１項に記載のクレードル。
【請求項１４】
前記表示パネルを各ロック装置ごとに含む、請求項１３に記載のクレードル。
【請求項１５】
前記表示パネルは、可視パネルにより、前記ロック装置が非ロック位置において非動作である際には赤いマーカを表示し、前記ロック装置が動作ロック位置にある際には緑を表示する、請求項１３または請求項１４に記載のクレードル。
【請求項１６】
前記ロック装置は、前記クレードルの側部材（１２０）、後壁部材（１４０）、もしくはフック手段（１２２）、またはこれらの部分の組合せに位置決めされる、請求項１〜１５のいずれか１項に記載のクレードル。
【請求項１７】
前記ロック装置は、前記クレードルの側部材（１２０）、後壁部材（１４０）、もしくはフック手段（１２２）の下部に位置決めされる、請求項１６に記載のクレードル。
【請求項１８】
前記クレードルの底部は、前記クレードルが基部上に立つ際に揺動されることが可能となるよう前記基部に向かって長手方向に凹状である、請求項１〜１７のいずれか１項に記載のクレードル。
【請求項１９】
前記クレードルの側部材（１２０）は、前記側部材（１２０）を揺り子として用いることを可能にする凹状下縁部（１２５）を有する、請求項１８に記載のクレードル。
【請求項２０】
前記クレードルの側部材（１２０）の下側は、部分的に設けられたゴムストリップのような摩擦コーティングを含む、請求項１８または請求項１９に記載のクレードル。
【請求項２１】
自身の動作位置にある前記ロック装置（３００）は、前記クレードルが椅子に搭載されない際には、基部に対する脚部として機能する、請求項１〜２０のいずれか１項に記載のクレードル。
【請求項２２】
前記ロック装置が非動作の場合よりも、前記クレードルを前記基部に向かって急な角度で位置決めする、請求項２１に記載のクレードル。
【請求項２３】
前記クレードルは、前記クレードルが椅子に搭載されない際に基部に対して支持を提供するよう、前記クレードル内または前記クレードルから回転可能または摺動可能な足部のような１つ以上の支持フラップ（１５０）を含み、前記支持フラップ（１５０）は、前記クレードルが前記基部上に支持されないで立つ場合よりも、前記クレードルを前記基部に向かって急な角度で位置決めする、請求項１〜２２のいずれか１項に記載のクレードル。
【請求項２４】
前記支持フラップは、使用時には前記クレードルの後部分の下にて支持を提供する、請求項２３に記載のクレードル。
【請求項２５】
前記支持フラップは、不使用時には、前記クレードル中に収容される、請求項２３または請求項２４に記載のクレードル。
【請求項２６】
前記支持フラップは、前記クレードルの後壁部材（１４０）または下側の中に収容される、請求項２５に記載のクレードル。
【請求項２７】
前記クレードルは、前壁部材（１３０）と後壁部材（１４０）とによって共に接続される２つの平行な側部材（１２０）を含むハードシェル（１００）の形態にあるシェル構造を有する、またはプレートの形態にある下縁部を有する、請求項１〜２６のいずれか１項に記載のクレードル。
【請求項２８】
前記クレードルは、背もたれ（２４０）と、２つの内側部材（２２０）と、シート部（２３０）とを含むシート部（２００）を有する、請求項２７に記載のクレードル。
【請求項２９】
前記背もたれ（２４０）は背もたれ上縁部（２４１）を有する、および／または前記２つの内側部材（２２０）は上側縁（２２１）を有する、請求項２８に記載のクレードル。
【請求項３０】
前記クレードルは、脚支持部（２３１）を有する、請求項２８または請求項２９に記載のクレードル。
【請求項３１】
前記シート部（２００）は、織物を含むシートカバーを構成する、請求項２８〜請求項３０のいずれか１項に記載のクレードル。
【請求項３２】
前記シートカバーは、詰め物をされてなる、請求項３１に記載のクレードル。
【請求項３３】
前記シートカバーは、統合された硬化材料または硬化部分を有する、請求項３１または請求項３２に記載のクレードル。
【請求項３４】
前記シート部（２００）は、前記シェルの外側上部分への取り付けにより、前記ハードシェル（１００）の上縁部の周りにつり下げられる、請求項２８〜請求項３３のいずれか１項に記載のクレードル。
【請求項３５】
前記シート部（２００）は、溝（１２３）および／もしくはフック／ボタン（１４１）のような固定手段により、前記ハードシェル（１００）の上縁部の周りにつり下げられる
、請求項３４に記載のクレードル。
【請求項３６】
前記シート部（２００）は、前記シート部の実質的に全円周部の周りのストレッチ素材のような弾性素材により、前記ハードシェル（１００）の上縁部の周りにつり下げられる、請求項３４に記載のクレードル。
【請求項３７】
前記クレードルは、その上後部に存在する、１つの下方向に方向付けされたフック手段（１２２）と、摺動可能なばね荷重要素の形態にある２つの固定装置（３１０）とを含む、請求項１〜３６のいずれか１項に記載のクレードル。
【請求項３８】
前記クレードルは、バー形状の要素の形態にある２つの固定装置（３１０）を含む、請求項３７に記載のクレードル。
【請求項３９】
前記クレードルは、椅子、子供用シート、またはＴｒｉｐｐＴｒａｐｐ（登録商標）椅子の上への搭載のために好適である、請求項１〜３８のいずれか１項に記載のクレードル。
【請求項４０】
前記ロック装置が、前記椅子の背の要素の実質的に水平な下縁部に対して前記クレードルをロックする、請求項１に記載のクレードル。
【請求項４１】
前記ロック装置が、クロスレール（３，４，５０３）の実質的に水平な下縁部に対して前記クレードルをロックする、請求項４０に記載のクレードル。
【請求項４２】
上端または上縁部を有する少なくとも１つの要素と下縁部を有する少なくとも１つの要素とを有する椅子の背を有する椅子にクレードルを取り付けるための搭載装置であって、前記搭載装置は、取り外し可能または前記クレードルに永久的に固定され、前記搭載装置は、
前記クレードルが前記椅子の背の要素の上端、上部、または上縁部の上に掛けられることを可能にする１つ以上のフック手段と、
非動作位置から動作位置に移動されるよう構成される１つ以上のロック装置とを含み、前記非動作位置では、前記椅子に対する前記クレードルの移動が制限されず、前記動作位置では、前記ロック装置が、前記椅子の背の要素の少なくとも１つの下縁部に対して支持して前記クレードルを前記椅子にロックし、
前記ロック装置は、非動作位置にある際には、前記クレードルの中に収納され、
前記ロック装置は、前記クレードルの外側上にて手が届く、または前記クレードルの前記外側において凹部の形態にあるハンドルに統合されるボタン（１３０，１３１，３０１）またはレバーによって動作可能である、搭載装置。
【発明の詳細な説明】
【技術分野】
【０００１】
本発明は、椅子のための乳幼児用クレードルまたは乳幼児用シートと、当該クレードルまたはシートを椅子に固定するための搭載装置とに関する。乳幼児用クレードルは、特に床の上での使用と、実質的に水平な上縁部および下縁部を有する背もたれ要素を有する椅子に搭載される場合の使用との両方に好適である。
【背景技術】
【０００２】
背景
現在、ダイニングテーブルまたはワークテーブルのようなテーブルにて座る際に乳幼児を監視することができるように、テーブルの高さに適合されたシートまたはクレードルに乳幼児を配置することを可能にすることに必要性がある。今日、このタイプの乳幼児および小さな子供たちの配置に対する良好な代替例は存在しない。
【０００３】
年齢が０〜６か月の乳幼児は、まっすぐに座ることができず、横たえるべきであるか、またはあるリクライニング角度で半分座った状態にするのが好ましい。なぜならば、子供の背中は、自身の全体重を支持するのに十分なほど発達しておらず、したがって酷使によって損傷され得るからである。この理由から、小さな子供たちのための通常の子供用椅子は、乳幼児および非常に小さな子供たちによる使用に好適ではない。
【０００４】
さらに近年、いくつかの国および地域では、子供用椅子およびハーネスといった子供たちが使用する設備に関して安全要件を採用する傾向がある。これらの規準は、新しい子供用シートの開発において連続的に考慮されているが、このような安全要件が実施される前に、長い間生産されている椅子および設備を適合させるのは難しい場合がある。物理的な修正を椅子に行うことなしにこのような調節を行うことは特に難しい。
【０００５】
これは、たとえば、子供用シートであるＴｒｉｐｐＴｒａｐｐ（登録商標）に当てはまる。ＴｒｉｐｐＴｒａｐｐ（登録商標）は、１９７２年には開発され、１９７６年には特許されており、多くの国において非常に人気のある子供用シートであり続けている。
【０００６】
この椅子は、子供の身体サイズに従って調節可能なように設計され、したがって、さまざまな高さ位置へと移動され得るシートプレートおよびフットプレートを有する。さまざまな高さ位置へのシートプレートおよびフットプレートの移動は、椅子の側部材の内側に存在するいくつかの高さの対向する水平な溝の中に摺動され、これらの溝の中にロックされることによってなされる。これらの溝の中へのロックは、側部材同士の間の横断要素の使用による、締付けと側部材同士の間の距離の低減とによって行われる。この場合、側部材は、１つのクロスレールおよび１つの横断背もたれである、２つの平行な横断要素を含む２つのバーである。シートプレートはさらに、上記側部材が互いに対して締め付けられる前に当該プレートをシートの背に対して前方または後方に押すことにより、上記締付けにより正しい位置にロックされるようその奥行き位置が調節可能である。これにより、椅子を用いている子供の腿の下に正しいシート長さが提供される。
【０００７】
通常のダイニングテーブルチェアおよびＴｒｉｐｐＴｒａｐｐ（登録商標）椅子のような子供用シートといった既存の椅子上に、たとえば椅子の上部分、後部分、後脚、または側部材の上に、好ましくは異なる部品、取付具、工具を使用することなく容易に搭載可能な乳幼児用のシートまたはクレードルの必要性が存在する。
【０００８】
先行技術
今日、上述したように、車用チャイルドシート、床上への配置のための揺り子／乳幼児用シート、およびリクライニングした座位に適合される、ベビーカーのためのシートが見られる。しかしながらこれらのいずれもが、ベビーカーのためのいくつかの乳幼児用シートがベビーカー構造の高い所に搭載され得ることを除き、屋内でのテーブル高さでの配置に適合または好適ではない。しかしながら、たとえば食事の状況でのように乳幼児を大人により近い状態へと上げるためにベビーカーを住宅の屋内で使用することは実用的ではあり得ない。揺り子または乳幼児用シートは、乳幼児が大きくなって、もはや横になりたがらない場合には実用的であり得る。当該子供は、まだ１人では座ることができないので、子供の背中に対して正しい角度を有するかまたは背もたれが調節可能である椅子を用いることが重要である。しかしながら、揺り子／乳幼児用シートは、たとえば乳幼児または子供が予期しない突然の動作を行った場合に、別の家具から落ち得ないように、かつ他の人が乳幼児用シートに誤って衝突しないように床の上に常に配置されるべきである。揺り子／乳幼児用シート（または車用チャイルドシート）を床の上に配置することの欠点は、たとえば家族がダイニングテーブルにて座っている際に、乳幼児を監視することが困難となることと、乳幼児が何が起こっているのか理解したいであろう場合に、乳幼児自身が周辺があまり見えなくなることとである。床の上に配置することによって、他の居合わせている人とは異なる高さに「置き去りにされた」ことに対して、乳幼児がしばしば抗議をすることになる。揺り子／乳幼児用シートまたは車用チャイルドシートをテーブル上に配置することは、食事の間では特に非実際的である。なぜならば、揺り椅子／乳幼児用シートまたは車用チャイルドシートは多くのスペースを占有し、さらに上述したように特に子供に対する注意がわずかな期間、他に向けられる場合、シートが落下し得る安全上の問題となるからである。このような椅子またはシートがダイニングチェアのような通常の椅子上に当該椅子に固定することなく配置された場合、同じタイプの安全上の問題が発生し、事故の可能性は、椅子のシート上の領域が限定されていることによりさらに大きくなる。
【０００９】
車用チャイルドシートは一般的に、狭く、子供の周りにきつくフィットし、シート表面と背中支持部との間の角度が相対的に小さい、すなわち相対的にうずくまる座位となるので、保持するための屋内のシートとしては不適当である。この設計は、車での使用についての安全要件の結果であり、子供の移動の自由を制限する。したがって、このようなシートは、一回につき限られた期間のみ使用されるべきである。
【００１０】
ＧＢ  ２  ４０７  ４８９から、車用チャイルドシートをスタンドと組み合わせて子供用椅子として用いることを可能にする、車用チャイルドシートを保持するためのスタンドが公知である。しかしながら、このソリューションは、車用チャイルドシートの前述の欠点を有し、さらに当該スタンドは他の目的のためには用いられ得ず、使用されない際にはスペースを取るという事実がある。
【００１１】
ＵＳ２００６／０１８１１２３から、地表面よりも高くシートを位置決めする目的でスタンドに搭載可能な揺り子／乳幼児用シートが公知である。しかしながら、このスタンドには上記のソリューションと同じ欠点がある。すなわち、スペースを取り、他の機能を有さない。したがって、当該シートが他の所で用いられる場合、片づけるかまたは一緒に持っていかなければならない。
【発明の概要】
【発明が解決しようとする課題】
【００１２】
発明の目的
既存の椅子の所有者が彼らの椅子の機能を向上または拡張することを可能にする、乳幼児用クレードルまたはシートのための取付手段を提供することを目的とする。椅子の部分のいくつかに穴を作ったり、またはクレードルまたはシートが使用されない場合に見えることになる外観を損なう跡を椅子に残すねじを挿入したりといったような椅子の物理的な修正を回避することも目的とする。このような物理的な修正にはユーザが誤った態様で適合を行って椅子の安全性を脅かすことになり得るリスクもあるので望ましくない。したがって本発明の目的は、クレードルまたはシートの固定を可能な限り直観的かつ簡素にし、同時に安全性を維持することである。
【００１３】
したがって、既存の椅子を用いることにより、不当にスペースを要求しない機器を用いて、乳幼児の年齢および発育の関数としてテーブル高さに簡素かつ確実な態様で乳幼児が適切な人間工学的な姿勢で配置され得るクレードル／シートを提供することを目的とし、椅子およびクレードルの両方は、ともに結合されていない際には互いから独立して使用され得る。
【００１４】
一般的な説明
上述した問題および課題を解決するために、本発明に従って、椅子のためのクレードルが開発された。このクレードルは、当該クレードルを椅子に取り付ける固定およびロック装置を含み、椅子は、少なくとも１つの水平な下縁部と１つの水平な上縁部とを有する横断背もたれを有する。クレードルは、椅子の背の下縁部の上を把持するために調節可能であり、クレードル／シートを確実に椅子にロックする、クレードルの後縁部上の１つ以上のロック装置と組み合わせて椅子の背の上縁部の上を把持する１つ以上のフックをその後縁部の上に含む。ロック装置は好ましくは、ロック装置のアンロックのための「２つの独立した同時の動作」についての要求を満たす自動ロック機能を含む。
【課題を解決するための手段】
【００１５】
したがって、本発明は、上端または上縁部を有する少なくとも１つの要素を有する椅子の背を含む椅子のためのクレードルに関する。上記クレードルは、上記クレードルの後部分に少なくとも１つのフック手段を含み、上記フック手段は、上記クレードルが上記椅子の背の要素の上端、上部分、または上縁部の上に掛けられることを可能にし、上記クレードルはさらに、上記椅子の背の上に掛けられていない場合に、床のような基部に単体で立つことが可能であり、両方の場合、乳幼児または小さな子供のためのクレードルまたはシートとして用いられることを特徴とする。
【００１６】
本発明はさらに、１つの局面において、上記椅子の背の要素が、１つ以上のクロスレール、側部材、壁部材、後脚、または中央のステムからなる群から選択され、上記クレードルが、上記椅子の背の要素のうちの１つ以上の上端または上縁部の上、好ましくは上記椅子の背の要素の実質的に水平な上縁部の上、さらに好ましくはクロスレールの実質的に水平な上縁部の上にフック手段により掛けられ得るクレードルに関する。１つの局面では、本発明は特に、上記フック手段が、上記椅子の背の要素の上端、上部分、または上縁部の上に嵌合するよう適合されるフェルールであり、上記椅子の背の要素が好ましくは、上記側部材、上記椅子の側の上部分、壁、または後脚のうちの１つ以上から選択されるクレードルに関する。
【００１７】
本発明はさらに、上記椅子の背の要素の少なくとも１つが下縁部を含み、上記クレードルが、非動作位置から動作位置へと動かされるよう構成される少なくとも１つの移動可能なロック装置を上記クレードルの後部分に含み、上記非動作位置では、上記椅子に対する上記クレードルの移動が制限されず、上記動作位置では、上記ロック装置が、上記椅子の背の要素の少なくとも１つの下縁部に対して、好ましくは上記椅子の背の要素の実質的に水平な下縁部に対して、より好ましくはクロスレールの実質的に水平な下縁部に対して支持して上記クレードルを上記椅子にロックするクレードルに向けられる。
【００１８】
１つの代替例では、上記ロック装置は、少なくとも１つの実質的に水平な要素を含み、上記実質的に水平な要素は、上記クレードルに摺動可能に取り付けられ、かつ上記クレードルが椅子の背に掛けられると、動作位置においてクロスレールの水平な下縁部に対して支持するように非動作位置からクレードルと平行な方向に移動可能であり、当該要素は好ましくはバー形状である。
【００１９】
別の代替例では、上記ロック装置は、上記クレードル上に旋回可能に搭載される少なくとも１つのフックを含み、当該フックは、上記クレードルが椅子の背の上に掛けられると、動作位置においてクロスレールの水平な下縁部の周りを把持するよう非動作位置から回転することが可能である。
【００２０】
上記ロック装置は、摺動可能および旋回可能なロック装置の形態にある上記のロック装置の組合せを含むことも可能である。
【００２１】
上記ロック装置は、非動作位置から上記クレードルを上記椅子にロックするための動作位置にロック装置を動かすためにばね荷重が加えられてもよい。さらに、上記ロック装置は、ボタンまたはレバーによって動作可能であり、好ましくは上記クレードルの外側上にて手が届き、代替的には上記クレードルの外側上のハンドルに統合され、代替的には上記クレードルの上記外側において凹部の形態にある上記ハンドルに統合される。上記クレードルはさらに、上記クレードルが上記椅子に正しく搭載されているかどうかを示す表示パネルを好ましくは各ロック装置ごとに含んでもよく、好ましくは上記表示パネルは、可視パネルにより、上記ロック装置が非ロック位置において非動作である際には赤いマーカを表示し、上記ロック装置が動作ロック位置にある際には緑を表示する。
【００２２】
さらに、上記ロック装置は、非動作位置にある際には、上記クレードルの中に収納されてもよく、上記クレードルの側部材（１２０）、後壁部材（１４０）、もしくはフック手段（１２２）、またはこれらの部分の組合せ、好ましくはこれらの部分の下部に位置決めされてもよい。
【００２３】
１つの局面では、本発明は、上記クレードルの底部は、上記クレードルが基部上に立つ際に揺動されることが可能となるよう上記基部に向かって長手方向に凹状であり、好ましくは上記側部材は、それらを揺り子として用いることを可能にする凹状下縁部を有し、好ましくは上記側部材の下側は、部分的に設けられたゴムストリップのような摩擦コーティングを含むクレードルに向けられる。
【００２４】
別の局面では、本発明は、上述したように、椅子の背を有する椅子にクレードルまたはシートを取り付けるための搭載装置に向けられる。上記搭載装置は、上記に従った１つ以上のフック手段と、１つ以上のロック装置とを含む。上記搭載装置は、上端または上縁部を有する少なくとも１つの要素と下縁部を有する少なくとも１つの要素とを有する椅子の背を有する椅子にクレードルまたはシートを取り付けるためのものであってもよい。上記搭載装置は、取り外し可能または上記クレードルに永久的に固定される。上記搭載装置は、上記クレードルが上記椅子の背の要素の上端、上部分、または上縁部の上に掛けられることを可能にする１つ以上のフック手段と、非動作位置から動作位置に移動されるよう構成される１つ以上のロック装置とを含み、上記非動作位置では、上記椅子に対する上記クレードルの移動が制限されず、上記動作位置では、上記ロック装置が、上記椅子の背の要素の少なくとも１つの下縁部に対して支持して上記クレードルを上記椅子にロックする。
【００２５】
上記搭載装置はさらに、乳幼児または小さな子供のための別個のクレードルまたはシートとしての使用のために椅子の背に掛けられない際に、クレードルが床のような基部の上で単体で立つことを可能にする。
【００２６】
さらに、自身の動作位置にある上記ロック装置は、上記クレードルが椅子に搭載されない際には、基部に対する脚部として機能し、好ましくは上記ロック装置が非動作の場合よりも、上記クレードルを上記基部に向かって急な角度で位置決めする。上記クレードルはさらに、上記クレードルが椅子に搭載されない際に基部に対して支持を提供するよう、上記クレードル内または上記クレードルから回転可能または摺動可能な足部のような１つ以上の支持フラップを含んでもよく、上記支持フラップは、上記クレードルが上記基部上に支持されないで立つ場合よりも、上記クレードルを上記基部に向かって急な角度で位置決めし、上記支持フラップは好ましくは、使用時には上記クレードルの後部分の下にて支持を提供し、上記支持フラップは好ましくは、不使用時には、たとえば上記クレードルの後壁部材または下側の中といったように上記クレードル中に収容される。
【００２７】
本発明に従ったクレードルは、前壁部材と後壁部材とによって共に接続される２つの平行な側部材を含むハードシェルの形態にあるシェル構造を有してもよく、代替的にはプレートの形態にある下側を有する。さらに、上記クレードルは、好ましくは背もたれ上縁部を有する背もたれと、好ましくは上側縁を有する２つの内側部材と、シート部とを含むシート部と、好ましくはフットレストとを有してもよい。上記シート部は、織物を含む、好ましくは詰め物をされた、統合された硬化材料または硬化部分を随意で有する部分的に自己支持するシートカバーを構成してもよい。上記シート部は、上記シェルの外側上部分への取り付けにより、好ましくは溝および／もしくはフック／ボタンのような固定装置により、または上記シート部の実質的に全円周部の周りのストレッチ素材のような弾性素材により、上記シェルの上縁部の周りにつり下げられてもよい。
【００２８】
本発明は特に、その上後部分に存在する、１つの下方向に方向付けされたフック手段と、摺動可能なばね荷重が加えられたバー形状の要素の形態にある２つの固定装置とを含むクレードルに向けられ、上記クレードルは、通常の椅子、子供用シート、特にＴｒｉｐｐＴｒａｐｐ（登録商標）椅子の上への搭載のために特に好適である。
【００２９】
したがって、本発明に従ったクレードルの利点は、ＴｒｉｐｐＴｒａｐｐ（登録商標）椅子または他の椅子といった既存の椅子の上で、如何なる椅子の部分にも物理的な修正を行うことなく、用いられ得るということである。したがって、ねじのような固定手段、クレードルを移動および保管する際に容易に紛失し得る緩いストラップ、またはクレードルの不使用時に椅子の外観を損なう、椅子上に搭載されるストラップを用いる必要がない。このクレードルは、統合部分により単独で確実にロックされ、使用後に容易に除去可能であるか、またはその必要がない場合には、他の同様の椅子に移動可能である。クレードルは、高さ調整または奥行き調節といった、椅子のフットプレートおよび／またはシートプレートの如何なる行われ得る調節によって垂直または水平方向のいずれにも影響を受けない。したがって、椅子の機能のいずれも妨げない。したがって、椅子の使用は、クレードルが椅子から取り外される際に、簡素かつ柔軟性のある態様で、複数の異なるユーザについて適合可能である。
【００３０】
本発明に従ったフレキシブルなクレードル／シートにより、保管または注意をしなければならない異なった部品またはスタンドなしで、椅子に搭載した状態と、単体で自立した状態とでクレードルを用いることが可能になる。さらに、クレードルは、椅子のいかなる物理的な修正またはクレードルを他の椅子に搭載するための部品を必要としないので、他の同様の椅子の上で容易に用いられ得る。そのため、当該子供用シートまたは乳幼児用クレードルは、友人または家族の他の家の椅子またはレストランなどの他の場所において容易に用いられ得る。当該クレードルはさらに、年齢集合および子供の発育の連続的な変化の結果、必要性が変化し得る託児所または施設および病院の乳幼児部門での使用に非常に好適である。
【００３１】
以下、添付の図面を参照して、実施例の例の補助により、本発明をより詳細に記載するが、そのいずれもが本発明の範囲を限定することを意図するものではなく、本発明の実施例の形態の例として機能する。
【図面の簡単な説明】
【００３２】
【図１】椅子に搭載された本発明に従ったクレードルを上から見た正面斜視図である。
【図２】図１のクレードルを上から見た正面斜視図である。
【図３】図１のクレードルを下から見た正面斜視図である。
【図４】図１のクレードルを下から見た図である。
【図５】図１のクレードルを上から見た図である。
【図６Ａ】ロック装置が展開された状態の本発明に従ったクレードルの側面図である。
【図６Ｂ】図６Ａのクレードルの背面図である。
【図６Ｃ】図６Ａのクレードルの正面図である。
【図７Ａ】ロック装置が退避された状態の図６Ａのクレードルの側面図である。
【図７Ｂ】図７Ａのクレードルの背面図である。
【図７Ｃ】図７Ａのクレードルの正面図である。
【図８Ａ】支持フラップが展開された状態の図６Ａのクレードルの側面図である。
【図８Ｂ】図８Ａのクレードルの背面図である。
【図８Ｃ】図８Ａのクレードルの正面図である。
【図９Ａ】図１のクレードルおよび椅子の背面図である。
【図９Ｂ】図１のクレードルおよび椅子の側面図である。
【図１０】図６Ａ、図６Ｂ、図９Ａ、および図９Ｂのロック装置の詳細図である。
【図１１】図６Ａのクレードルと、展開状態にある図１０のロック装置とを示す図である。
【図１２】ロック装置が退避した状態である図１１のクレードルを示す図である。
【図１３】椅子に搭載された本発明に従ったクレードルの背面斜視図である。
【図１４Ａ】椅子に搭載された本発明に従ったクレードルの背面斜視図である。
【図１４Ｂ】支持フラップが展開された状態である図１４Ａのクレードルの側面図である。
【図１４Ｃ】支持フラップが展開された状態である図１４Ａのクレードルの背面図である。
【図１５】ＴｒｉｐｐＴｒａｐｐ（登録商標）タイプの子供用シート上に搭載される本発明に従ったクレードルの実施例の背面斜視図である。
【図１６Ａ】椅子に搭載された本発明に従ったクレードルの側面図である。
【図１６Ｂ】支持フラップが展開された状態である図１６Ａのクレードルの背面図である。
【図１６Ｃ】支持フラップが展開された状態である図１６Ａのクレードルの側面図である。
【図１７Ａ】椅子に搭載された本発明に従ったクレードルの背面斜視図である。
【図１７Ｂ】図１７Ａのクレードルの正面斜視図である。
【図１８】通常の椅子に搭載される本発明に従ったクレードルの側面図である。
【図１９】椅子に搭載された本発明に従ったクレードルの背面斜視図である。
【図２０Ａ】椅子に搭載された本発明に従ったクレードルの側面図である。
【図２０Ｂ】図２０Ａのクレードルの背面図である。
【発明を実施するための形態】
【００３３】
詳細な説明
以下の説明において、次の用語および表現は以下のように理解されるべきである。
【００３４】
「〜の前」、「前側」、「前から」、「前方に」、「前に」、および同様の表現は、椅子に通常の態様で座っている子供の顔および胸が曲げられる水平方向を意味する。
【００３５】
「後ろに」、「後ろ」、「後方に」、または「〜の後ろに」は、反対の水平方向、すなわち椅子に通常の態様で座っている子供の背中が曲げられる方向を意味する。
【００３６】
「横断側」または「横断方向」は、クレードルを通る対称面に垂直な水平方向を意味する。
【００３７】
「長さ」、「奥行き」、または「長手方向」は、クレードルの対称面における水平方向を意味する。
【００３８】
「クレードル」は、シートプレートに対して背もたれが、水平に存在する位置と正常な座位との間の、随意で正常な座位を含む角度を有する、乳幼児または子供のためのリクライニングされたシートを意味する。
【００３９】
「椅子の背」または「シートバック」は、椅子またはシートにおける座面またはシートプレートの上側、特定的には背もたれから離れるように延在する椅子またはシートの部分のアセンブリを意味する。
【００４０】
「背もたれ」は、椅子またはシートのユーザの背中を支持することに貢献する椅子の背の部分または要素を意味し、側部材、側パネル、クロスレール、中央のステム、後脚、および後部分などのうち１つ以上を含んでもよい。
【００４１】
「縁部」は、プレートまたはレールといった要素の物理的な終端または端部を意味する。「上縁部」は、要素の上側上の縁部を意味し、「下縁部」は、要素の下側上の縁部を意味する。
【００４２】
図１は、椅子１、この場合はＴｒｉｐｐＴｒａｐｐ（登録商標）のタイプの子供用シートの上に搭載された本発明に従ったクレードル１０を示す図である。分かり得るように、クレードルは、椅子の背もたれに固定され、そこからつり下げられている。この位置において、たとえばクレードルにおいて座っているかまたは横たわっている乳幼児は、ダイニングテーブルに対してある高さにあり、これにより当該乳幼児はたとえば食事の間に何が起こっているのかを理解することが可能になる。さらに、椅子に搭載された際のクレードルの高さおよび角度によって、大人がダイニングテーブルチェアのような通常の椅子に座ったままで乳幼児に食事を与えることが容易になる。したがって、子供は他の揺り椅子／乳幼児用シートと比較して床から高いところに位置し、大人はたとえば食事を与える間に乳幼児とやり取りをするために床の上に座ったり、屈んだりする必要がなくなる。これにより、揺り椅子／乳幼児用シートまたは車用チャイルドシートをダイニングテーブルまたはコーヒーテーブルといったテーブル上に配置することが回避される。揺り椅子／乳幼児用シートまたは車用チャイルドシートをテーブル上に配置することは、今日の大人の間で子供を見守るためのかなり一般的な行為であるが、揺り椅子／乳幼児用シートまたは車用チャイルドシートがテーブルから落下し得るリスクがあり、さらにダイニングテーブル上でかなりのスペースを占有する。
【００４３】
クレードル１０は、長手方向において間にシート部分３０と背もたれ４０とが存在する、基本的に２つの本質的に平行な側部材２０を含む。当該シート部分３０および背もたれ４０は、隣接する横断端部にて、所与の着席角度で互いに接続される。シート部分３０と背もたれ４０との間の角度は、クレードルを用いることになる子供の年齢に適合されるべきである。そのため、当該子供は、手足を伸ばすことができるが、それでも完全に水平な位置ではなくよりまっすぐに座ることとなる。
【００４４】
代替的には、クレードルは、シート部分と背もたれとの間の上記角度の調節するよう構成されてもよい。
【００４５】
クレードル１０は、さまざまな態様で製造され得、異なる材料または異なる材料の組成から製造されてもよい。この実施例では、クレードル１０は、より詳細に図２に示されるように、外側シェル１００とシート部２００とから構成される（シート部は説明目的でパターンが付されている）。
【００４６】
シェル１００は、硬質プラスチックのような第１の材料から作られ、シート部２００のための構造フレームを構成する。
【００４７】
シート部２００は、１つ以上の半剛体および軟質材料の複合材料のような、第１の材料よりも軟らかくてもよい異なる材料から作られ、部分的に自己支持するシートカバーを形成し得る。
【００４８】
図３〜図５は、クレードル１０をより詳細に示す図である。外側シェル１００は、前壁部材１３０および後壁部材１４０（図３および図４参照）によって互いに接続される２つの実質的に平行な側部材１２０を含む。好ましくは側部材１２０の両方はさらに、たとえば側部材１２０における凹部または縁部の形態にある、クレードルを持ち上げて運ぶのに用いられ得るハンドル１２１または縁部を含む。
【００４９】
クレードルを椅子に固定するために、外側シェルはたとえば、クレードルの後部分上において、側部材１２０および／または後壁部材１４０の外部分に１つ以上のフック手段１２２を含む。この実施例では、フック手段１２２は、下方向に向けられた１つ以上の平行なフックまたは留め具として構成される。これらフック手段１２２は、この実施例では、側部材１２０の上側後部コーナーの延在部および／または後壁部材１４０の上側後部コーナーの延在部として形成される。クレードルに対して上方向に方向付けされた力がかかることによってクレードルが偶然に落下し得ないように椅子１へクレードル１０を確実にロックするために、この実施例におけるクレードルは、クレードルの後部分上、たとえば側部材１２０の後部および／またはフック手段１２２の下の後壁部材１４０の外側部に１つ以上の調節可能なロック装置３００を含む。
【００５０】
この実施例では、ロック装置３００は、展開または開放状態で、側部材１２０の下側後部コーナーおよび／または後壁部材１４０の下側外部コーナーの延在部において、２つの平行な上方向に方向付けされたフックまたは留め具として構成される。しかしながら、フック手段１２２およびロック装置３００の両方は、取り付けられることになる椅子のタイプおよび背もたれの形状に対して実際的な態様でクレードル上に位置決めされ得る。ロック装置３００は、クレードルの対称面と本質的に平行である面、またはロック装置が椅子上の下側水平背もたれ縁部の下縁部の周りを把持することになる椅子１の背もたれの部分に本質的に垂直である面において回転可能である。この実施例では、ロック装置の回転の実行は、ハンドル１２１の凹部に位置する押しボタン１３０によって与えられる。
【００５１】
ロック装置３００は、動作展開位置に向かって引っ張られるように、ばね荷重が加えられてもよい。動作展開位置では、ロック装置３００は図１に示されるように、椅子上の椅子の背１１の下縁部の周りを把持する。クレードル１０が搭載される椅子１からクレードル１０を取り除くことを可能にする開放／退避または非動作位置までロック装置を引張ばねに対して回転させるためには、押しボタン１３０が、たとえば内方、後方、前方、または上方、この場合では上方に押されることにより動作されなければならない。
【００５２】
安全性の理由ため、互いに独立して機能する２つの押しボタン１３０が存在するべきである。両方の押しボタン１３０は、これらのボタンの１つの偶然または意図しない作動によってクレードルがアンロックされないように、クレードルが搭載された椅子からクレードルを解放するために動作されなければならない。これはたとえば、この発明においても予見される（図１４Ａおよび図１９に示されるように）１つの幅の広い、中心に位置決めされたロックフックのような１つのロック装置のみが用いられる場合にも望ましい。
【００５３】
シート部２００は、織物を含んでもよく、好ましくは詰め物がされていおり、シート部にそれ自身の形状を与えるよう、シート部２００のすべてまたは一部において、統合された硬化材料または硬化部分を随意に有する。図２に示されるようなこの実施例におけるシート部２００は、シェルの外側上部分上にて固定装置に取り付けられることにより、シェル１００の上縁部の上につり下げられる。シート部２００は、図２に示されるように、背もたれ上縁部２４１を有する背もたれ２４０と、上側および外側縁部２２１を有する２つの内側部２２０と、シート部分２３０と、脚支持部２３１とを含む。
【００５４】
図３および図５から分かり得るように、シート部２００の背もたれ上縁部２４１および２つの上側縁部２２１は、後壁部材１４０の上縁部と側部材２２０の上縁部の両方をそれぞれ覆うとともに、これらの要素の上側外観部を覆う。この実施例では、シート部はさらに、たとえばフック、留め具、またはボタンなどの周りに固定されたループにより後壁部材１４０の外側上部領域において背もたれ縁部２４１を固定点１４１に取り付けることによって、シェル１００の外部に固定される。側縁部２２１は、縁部における縫い込みステー（sewn-in stays）またはプラスチックバッテン（plastic battens）といった端縁部の厚さの拡張部を含む。端縁部は、側部材１２０の上外部内の溝１２３内に側部材１２０の主な長さに沿って挿入される。シート部分２３０またはシート部分２３０と背もたれ２４０との間の結合部はさらに、たとえばストラップを介してシェル１００における固定点１３１に固定されてもよい。この実施例では、固定点１３１は統合された横材を有する穴の形態にあり、その周りに当該ストラップが前壁部材１３０の下部分において通されてもよい。これにより、シート部は、シェルの少なくとも３つの上縁部の外部に固定され、シェルの下部分と好ましくは前壁部材１３０の内部上とに好ましくは弾性的な態様で係留されることにより、たとえばＶｅｌｃｒｏ（登録商標）クロージャによってシェルに確実に固定される。代替的には、前壁部材の上縁部上を覆うよう設計されたポケットを含むことにより、確実に固定される。脚支持部２３１は必ずしもシェルに取り付けられる必要はないが、たとえば上記の要素の各々の上の対向するＶｅｌｃｒｏ（登録商標）ストリップにより前壁部材１３０の上縁部に随意に固定されてもよい。
【００５５】
図６Ａ〜図６Ｃにおいて、ロック装置３００が開放または展開された状態クレードル１０を示す。この状態では、クレードルは、椅子に搭載された際の角度とほぼ同じ角度にある。この角度は、支持脚として用いられ得る展開されたロック装置３００によって床のような基部の上に配置された際のクレードルの角度とほぼ等しいかまたは近くてもよい。これらの図から分かり得るように、ロック装置３００は、椅子の上にクレードルを搭載する場合などについて、乳幼児が若干高く上げられた支持位置に座る位置またはそれより若干下部の位置にクレードルを支持するよう低い後脚として用いられ得る。
【００５６】
図７Ａ〜図７Ｂにおいて、ロック装置３００が退避または引き込まれた状態のクレードル１０を示す。当該クレードルは、ロック装置３００が展開された場合よりもさらにリクライニングされることになる。これによりシートは、クレードル中の子供がほぼ横になる位置に入る。図７Ａから分かり得るように、側部材１２０は、たとえば揺り子の形態で、基部に向かって凸状である、基部に接する下縁部１２５を有してもよい。これと同時に、前壁部材１３０と後壁部材１４０とは、下方向にあまり垂直でない延在部を有してもよい。これにより、クレードルが前後へと傾いたり、または揺り動かされて子供を楽しませたり、または寝るのを助ける場合がある。図７Ｂおよび図７Ｃから分かり得るように、後壁部材１４０の下縁部１２６および前壁部材１３０の下縁部１２７はそれぞれ、床または面に向かって凹状に曲がっており、図に示されるように前壁部材および後壁部材が開始位置において基部と接触しないように側部材のもっとも低い点よりも若干高く位置決めされる。それと同時に、後壁部材１４０の下縁部１２６および前壁部材１３０の下縁部１２７は、側部材同士の間の基部に小さな凹凸があってもこれを許容でき、このような凹凸によりクレードルが不安定または傾くことはない。好ましくは、凸状の側部材または揺り子の下側の各々は、クレードルがセットされる床のような基部の上をクレードルが摺動するのを防止するとともに、揺動によりクレードルが床または基部上のその起点から動くのを確実にするようたとえば部分的に設けられたゴムストリップ（図示せず）といった摩擦コーティングを含む。
【００５７】
代替的には、前壁部材１３０および後壁部材１４０は、基部に向かって凸状であってもよく、側部材よりも下方向に大きな垂直な延在部を有してもよい。これにより、図示しないが、クレードルを横に揺り動かすことが可能になる。
【００５８】
代替的な実施例では、側部材の下側を基部に向かって凸状である二重に湾曲した下側として、クレードルをいくつかの方向に揺動させたり、または平坦な基部の上で優しく回転させたりすることを可能にする可能性も考えられる。
【００５９】
図８Ａ〜図８Ｃにおいて、支持フラップ１５０が開放または展開された状態のクレードルを示す。支持フラップ１５０は、ロック装置３００が有するよりも大きな垂直な延在部を有する。図８Ａにおける矢印Ａに示されるように、支持フラップ１５０は、示される展開位置まで回転され得るとともに、図６および図７に示されるように、シェル内の退避引込位置へと回転され得る。展開された支持フラップ１５０により、クレードルは、床のような平坦な基部の上に配置された場合により急な角度を取る。この位置により、子供は、子供たちが周りで何が起こっているのか理解することができるようにしばしば好んで座る姿勢のようなよりまっすぐな姿勢となる。図８Ａおよび図８Ｂから分かり得るように、ロック装置３００は、この位置に展開されてもよいが、クレードルの角度に対してこれが影響することなく退避されてもよい。
【００６０】
図９Ａおよび図９Ｂは、椅子１、この場合にはＴｒｉｐｐＴｒａｐｐ（登録商標）タイプの子供用シートの上にクレードル１０がどのように搭載されるかをより詳細に示す図である。しかしながら、本発明はこのタイプの椅子に限定されず、この実施例では、従来の椅子の背を形成する２つの側部材２または側片同士の間を延在する１つ以上のクロスレール３，４の形態にある、少なくとも１つの上縁部を有する椅子の背を有する任意の椅子に取り付けられ得、特にこのような椅子への取り付けのために適合され得る。上記の椅子の背は、少なくとも１つの実質的に水平な下縁部と１つの実質的に水平な上縁部とを有する。
【００６１】
この実施例では、子供用シート１の背もたれは、側部材２同士の間を延在する上レール３と下レール４の形態にある２つの水平なクロスレールを有する。クレードル１０の搭載のために、ロック装置３００は、随意で引張ばねに対して、押しボタン１３１を上方向に押すことにより引込またはほぼ引込位置まで回転される。次いで、クレードルのフック手段１２２が、クレードルが椅子につり下げられるようにトップレール３の上に引き出される。
【００６２】
たとえば偶発的な上方向に方向付けされた力によってクレードルが椅子の背から緩み得ないことを確実にするために、右側および左側のロック装置３００は、随意でボタン１３１を開放することにより、上記シェルから、図に示されるように中央レール４の下縁部の下を通過して、上へと回転する。これは、引張ばねが、ロック装置３００を回転させてロック位置について適切な場所に移動させるからである。
【００６３】
図９Ｂから分かり得るように、クレードル１０は、椅子のシートプレート５上に支持されない。当該椅子において、シートプレート５は、クレードルに接触しないようにかつロックに影響を与えないように随意に押し戻されてもよい。しかしながら、この椅子では、シートプレート５は、前方への延在がほとんどないそのもっとも上の位置にあるのが示されており、これは、座ってダイニングテーブルまで届くシートプレート上の腿が短い小さな子供のために出発点として適合される。シートプレート５は、側部材２の内部上の上記の溝７の中に摺動することにより、高さが調節されてもよい。当該溝は、シートプレートとフットプレート６との両方のレベルのための走路を構成する。通常のダイニングチェアでは、シートプレートは、通常トップレール３の上縁部からより大きな距離に存在しており、そのため図１８に示されるようにクレードルはこれに衝突することはない。
【００６４】
図１０は、本発明に従ったロック装置３００をより詳細に示す図である。この図から分かり得るように、ロック装置は、その上端に旋回点３０２を有するステム３０９を含む。旋回点３０２は、この場合、穴であってもよい。この実施例では、ロック装置は、ボルトまたは軸に固定されるよう設計されるが、ロック装置３００はさらに、実際のボルトまたは軸を構成の一部として随意に含んでもよい。前述のように、この実施例におけるロック装置はさらに、ボタン３０１を含む。ボタン３０１は、ボタンが単純な態様で動作され得ると同時に、ハンドル１２１における凹部内に位置することにより非自発的な作動に対して保護されるように側部材１２０におけるハンドル１２１内に突出する。ボタン３０１は、この実施例では、ステム３０９の上前方部において旋回点３０２の前のコーナー縁部に配置される。
【００６５】
この実施例におけるロック装置３００は、上縁部３０４および窪み３０５を有する上方向に方向付けされる留めピン３０３からなるフックをその下端に有するステム３０９を含む。窪み３０５は、好ましくは椅子の関連する背もたれの下縁部、この場合には中央レール４の下縁部に嵌合される。ロック装置３００の展開位置では、上縁部３０４は有利なことに、下方向および後方向へ若干傾斜が付けられてもよい。この目的は、クレードル１０が椅子の背の上縁部に掛けられる際に当該フックが若干前方に自動的に回転されることと、縁部３０４が背もたれに接触して背もたれによって前方に押される際に、ロック装置が背もたれの下縁部のために場所を空けて下縁部の周りに嵌まってクレードルをロックするようにクレードルの下後方部分が椅子の背に向かって旋回することとである。ロック装置はさらに随意で、ガイドスロット３０６を含んでもよい。この実施例では、ガイドスロット３０６は、展開位置にある際に、ステム３０９の後縁部において水平な横断溝からなり、実質的に水平な縁部終端部において内方に曲がる後壁部材１４０の下部分上を把持する。展開状態におけるロック装置３００の底端部は、変動し得るとともに、好ましくは基部との良好な接触を与えるようほぼ平坦である。随意であるが、後ろに向かって垂直な奥行きが増加する面取りされた縁部３０７を有してもよい。縁部３０７は、展開位置にあるロック装置が、クレードルが床の上に立つ際にクレードルの重量によって押し戻されることを確実にする。これにより、ロック装置がクレードルの中へと内方へ偶発的に回転されないことを確実にする。さらに、展開位置において、ステム３０９は、ほぼ垂直な前方縁部３０８を有してもよい。この実施例では、前方縁部３０８は、ロック装置が退避される際に側部材１２０の内部上でハンドル１２１に載る停止面である。
【００６６】
図１１では、クレードルは、展開位置にあるロック装置３００により基部の上に位置決めされているのが示される。ロック装置は、シェル１００内での配置および位置決めを示すよう、点線により描かれている。分かり得るように、ボタン３０１がハンドル１２１内に突出しており、ボタン３０１を上方向に押してボタン３０１を作動させることにより、ロック装置が矢印Ｂに示されるように前方に回転し、図１２に示されるようにクレードルの中に入る。分かり得るように、側部材１２０における凹部であるハンドル１２１によってロック装置３００のさらなる回転が防止される。ステム３０９の前縁部３０８は、ハンドルの凹部の下面に接して停止されることになる。なお、ロック装置３００が反対方向すなわち後方への回転のために、ばね荷重が加えられる場合、図１２に示されるようなロック装置は、前方向に遠く回転されるので、そこに向かって引っ張られる隠された引込位置に基部によって保持されることとなる。しかしながら、クレードルが床から持ち上げられる場合または後縁部にて持ち上げられる場合、ロック装置を退避位置にロックするロック装置をクレードルが含まなければ、ロック装置は自動的に後ろに回転し展開位置に入る。その特徴も予測される代替例である。しかしながら、ロック装置の自動的な展開は、クレードルを椅子の背に掛けている人が如何なる特別な搭載機能を行う必要なしに、フック３０３が自動的に出てきて、背もたれの縁部を受け入れる用意ができ、これによりクレードルをロックするという有利な安全機能であり得る。
【００６７】
図１３は、クレードル１０の代替的な実施例を示す図である。図１３では、後部フック手段１２２が、単一のフック、ここでは、椅子のシートバック上のトップレール３の上縁部全体をおおよそ覆う広いフックからなる。この図から分かり得るように、この実施例での背もたれにおけるクロスレールは、１つの単一要素からなり、本発明に従ったクレードルは、このタイプの背もたれと、クレードルを安全かつ確実な態様で固定するようフック手段およびロック装置がそれぞれ把持し得る上縁部および下縁部を有するすべての他の構成との上においても用いられ得る。
【００６８】
図１４Ａでは、別の代替例が示される。この例ではクレードルは、背もたれのトップレール３の下縁部の中央部の上を把持する広いロック留め具として、１つの単一中心ロック装置３００を含む。
【００６９】
図１４Ｂおよび図１４Ｃにおいて、図１４Ａにおけるクレードルは、支持フラップ１５０の代替的な実施例を有するよう示される。この例では、支持フラップ１５０は、１つの中心に配置されたロック装置３００の各側上に嵌合される２つの支持フラップを含む。図１４Ｂにおける点線に示されるように、支持フラップ１５０は、回転のためにクレードル内に収容される代わりに、摺動変位により取り出し可能であってもよいことが考えられるとともに、不使用時にたとえば後壁部材１４０の中へとクレードルの中に押され得るとともに、クレードルから押され得るということも予測される。好ましくは、このような押す／摺動ソリューションは、支持フラップが使用時に意図せず押されることを防止するロック装置または安全止めを含む。
【００７０】
図１３および図１４Ａ〜図１４Ｃに示される実施例はもちろん組み合されてもよい。フック手段１２２およびロック装置３００の幅は、椅子の背または他の考慮対象に適合するように、および／または要素同士が互いに影響を与えるのを防止するように変更されてもよい。たとえばクレードルを特別な椅子に適合するよう、２つよりも多いフック１２２および／またはロック装置３００および／または支持フラップ１５０を有する実施例も予測される。随意であるが上記の要素は、クレードルが各タイプの椅子毎に調節された要素を用いることによってさまざまなタイプの椅子に適合可能なように、全体的または部分的に除去可能および相互交換可能であってもよい。このような部分は、たとえば別個の椅子タイプについて別個のキットとして供給されてもよい。
【００７１】
図１５は、クレードル１０の別の実施例を示す図である。当該別の実施例では、フック手段１２２およびフック形状のロック装置３００に加えて、クレードルにはさらに、２つの付加的なロック装置３１０が設けられる。これらのロック装置３１０は、側部材１２０の後部分および／または後壁部材１４０の外部分、この場合、椅子の背１１における椅子のトップレール３の下縁部から後方へ実質的に水平に突出する。これらのロック装置３１０は、動作ロック位置において、上述したようにクレードルの後部分からその外面を超えて突出してもよく、非動作の非ロック位置にある場合には、上記前面と面一になるようクレードル内に退避されてもよい。
【００７２】
バー形状のロック装置３１０は、クレードルが椅子の背から外されるのを防止することによりクレードルにさらなる安定性と安全性とを与える。ロック装置３１０は、フック形状のロック装置３００の代わりに単体で機能し得、または上述したようにこれらフック形状のロック装置３００と組み合されて機能し得る。ロック装置３１０は、それら自身のボタン（図示せず）によって動作可能であり、またはたとえば、フック形状のロック装置３００を、これらがさらに存在する場合に作動するのと同時に上記のボタン３０１によって動作可能である。ロック装置３１０は、クレードルが椅子の背の上に掛けられる際に、側部材１２０および／または後壁部材１４０の中に押し込まれ得るとともに、クレードルが椅子の背の上の正しい位置に来ると、特に椅子の背に関連して垂直方向に正しい位置に来ると出るように随意にばね荷重が加えられてもよい。
【００７３】
代替的な実施例では、側部材１２０の後側部分および／または後壁部材１４０の外部分は、クレードルをシートバックにロックする他のロック装置を含んでもよいことも予測される。たとえば、椅子の背の後側から締められるねじ機構が用いられ得ることが予測される。当該ねじ機構は、特に背もたれにおいてクロスレール３，４の間の開口部を通って、クロスレール３，４の下縁部のような椅子の背における要素の下縁部に対して支持する。このようなねじ機構の例は、図１５において点線により示される。当該ねじ機構は、ねじと、ハンドル要素４０１とを含み、これらは、クレードルにねじ込まれるねじ片と、後方支持部における開口部を通り抜けることができない円板／ストッパ素子４００とを含む。これにより、ロック装置が椅子の背もたれの後側から締められることを可能にするとともに、クレードルを椅子の背に確実にロックする。
【００７４】
図１６Ａ〜図１６Ｃは、本発明の代替的な実施例を示す図である。図１６Ａでは、クレードル１０は子供用シート１において椅子の背のトップレール３上に搭載され、クレードルは、先行する図面において示されるのとは若干異なる形状を有する。これらの図から分かり得るように、クレードルは、クレードルの側部材１２０の全体に沿って特有な上および外縁部２２１を有し、下縁部は、クレードルを運んだり動かしたりするハンドル１２１としても用いられ得る。さらに、クレードルは、椅子の横断トップレール３の上に掛けられるよう適合される１つの単一の大きなフック手段１２２をその後部に有する。この実施例では、クレードル１０は、側部材１２０の後部分および/または後壁部材１４０の外部分から実質的に水平に後方へ突出する２つのバー形状のロック装置３１０のみを有する。ロック装置３１０は、側部材１２０におけるボタン３０１によって動作可能であり、この実施例では、ロック装置は、図１６Ｃにおける点線によって示されるように、ばね荷重が加えられる。ばね荷重は、図１６Ｃに示されるように、たとえば、ばね箱３６０と、ロック装置が展開動作位置に向かうよう引っ張られるようにたとえば当該ばね箱の壁とロック装置３１０との間にて引っ張られるつる巻ばね３６１とにより得られ得る。図１６Ｃから分かり得るように、この実施例におけるロック装置３１０は、湾曲した下外縁部または若干面取りされた縁部を有する。当該要素は、後下縁部においてよりも、後上縁部における幾分大きな水平な延在部を有する。ロック装置の後縁部のこの面取りまたは湾曲部分は、当該要素が椅子の背のトップレール３の前方の上縁部の前側に載るように適合される。そのため、クレードルが椅子の上に下げられると、当該要素はクレードル内へと引張ばねに対して押されることとなり、その後、クレードルがその正しい位置まで下げられた際にクロスレールの縁部の下にて出る。表示パネル３１１は、クレードルが正しく設置されているかどうかを示す。赤いマーカは、ロック装置がクレードルの中に完全または部分的に押し込められる場合を示し、緑のマークは、ロック装置が完全に展開された位置にある場合を示す。当該マーカは、ロック装置自体の上で、クレードルの側部材１２０における穴または開口部において出現する色であってもよい。２つのロック装置３１０は好ましくは互いに独立しており、その各々はそのそれぞれの側部材１２０上の自身の押しボタン３０１によって動作される。
【００７５】
図１６Ａ〜図１６Ｂにおけるクレードル１０はさらに、前述の実施例と同様の支持フラップ１５０を有する。図１６Ｂから分かり得るように、この実施例におけるフラップは、基部に対するクレードルのフットプリントの幅にほぼ対応する低い支持脚を有する１つの単一の中心および広いフラップを含む。この実施例における支持フラップ１５０は、図１６Ｃにおける矢印Ａに示されるようにクレードルの下側に向かうよう内方に旋回可能である。クレードル１０の下側パネルにおいて、支持フラップ１５０に嵌合するキャビティは、上記支持フラップを受け入れるとともに、たとえば当該キャビティにおける摩擦点／摩擦緩和により支持フラップをロックする。したがって、クレードル１０は、基部上において、自由に横たわる水平な位置と上げられた傾斜位置との２つの位置に配置され得る。当該水平な位置では、支持フラップ１５０は、側部材が図１６に示されるのと同様の湾曲した形状を有するならば、クレードルが長手方向に揺動され得るように、側部材１２０の延在部内に存在することになる。
【００７６】
図１７Ａおよび図１７Ｂは、中央のステムを有する椅子の背の上に搭載された図１６のクレードルを示す。特に、当該クレードルは、椅子の背の上部上の上部横材５０３に掛かる。側部材の代わりに、このような椅子は、たとえばプレートまたはクロスベースのようなフレームまたは足部５０７（点線）に固定される中央のステム５０２に基づく。椅子のシート部は、ステム５０２に張り付けられたシートプレート５０５からなる。当該ステムはさらに、シートバックの一部として機能すると同時に、クレードル１０が取り付けられる水平な上側背もたれ５０３を支持する。図１７Ａでは、横材５０３の下縁部の下側上において、ロック装置３１０がどのように突出するかが分かり得る。椅子はさらに随意で、クレードルが椅子に搭載されない場合にシートプレート５０５上に座る子供によって用いられ得る足支持プレート５０６を含んでもよい。
【００７７】
このような実施例におけるロック装置３１０の水平な配置は、さらにたとえば横材５０３の上のような椅子の背の上でのクレードルの水平方向の変位を制限またはロックするために、ステム５０２に可能な限り有利に近くてもよい。
【００７８】
図１８は、通常の椅子に搭載される本発明に従ったクレードルを示す図である。当該クレードルでは、側部材および背もたれは、後脚２２を含む。すべての参照番号は、他の図において示されるような部分に対応する。クレードルのフック手段１２２は、たとえばトップレール３の上縁部のような椅子の背の上縁部の上に配置され、ロック装置３１０は、同じクロスレールの下縁部に載る。代替的には、前述のフックのようなロック装置も用いられ得、好ましくは中央レール４の底縁部上に留まるよう回転され得る。
【００７９】
図１９は、子供用シートの上に搭載される本発明に従ったクレードルを示す図である。当該クレードルにおいて、フック手段は、クレードルの外側の上部コーナーおよび後部コーナーに位置するフェルール３２３であり、椅子の背の側部材２の上縁部、椅子の側の上部、側部材、または後脚の上に掛けられるよう適合される。図から分かり得るように、フック手段は、ある奥行きを有する、トップレール３のための開口部を有する。これにより、椅子に関連してクレードルの高さを決定する。この実施例では、クレードルはさらに、１つ以上のロック装置３１０を含んでもよく、ここでは好ましくは、ばね荷重が加えられるバー形状の中央配置されたロック装置によって示される。ロック装置を解放するのにボタンを用いる必要はない。なぜならば、ロック装置も、クレードルを椅子から取り外すようばね荷重に対して椅子の後側から容易に押されるように設計され得るからである。好ましくは、２つのこのようなロック装置が、ロック装置が内方に押されるとクレードルが取り外され得るように、椅子の側部材の近くに位置決めされる。すべての参照番号は、他の図について示されるような部分に対応する。
【００８０】
さらなる代替的な実施例では、ロック装置３００またはロック装置３１０は、特にフック手段が拡張可能な場合に、図２０Ａおよび図２０Ｂに示されるように、フック手段１２２においてベアリングによって支持されてもよい。したがって、フック手段１２２はたとえば、椅子の背の後側から椅子の背１１におけるクロスレール３の下縁部の下の位置へと回転可能な１つ以上のフック形状のロック装置３０９を含んでもよい。または、当該ロック装置３０９は、後側から椅子の要素の１つ以上の下縁部の下に押されてもよい。随意であるが、たとえば図２０Ｂにおける収納位置からロック装置３０９を押すことおよび回転させることの組合せが用いられる。当該ロック装置は、フック手段１２２に統合され、その後、矢印に示されるように下方向に押され、次いで、図２０Ａにおける点線によって示されるように搭載の間、後方に回転され、次いで、椅子の背もたれ１１においてクロスレール３の下へと回転される。ロック装置３０９のフック形状の端部の上縁部は、摩擦コーティングを有してもよい、および／またはクロスレール３の下の適切な位置にクランプされ、したがって容易に解放され得ないようにクロスレールに正確に嵌合されてもよい。随意であるが、ロック装置３０９は、上で論じた変形例でのようにロック動作を解放するようボタンまたはレバーを含んでもよい。
【００８１】
クレードルのシェル構造により、その重量が軽くなり、動かすのが容易になる。さらに当該シェル構造によって、ロック装置および支持装置を、不使用時には邪魔にならないようにシート内に引っ込める／収容することが可能になる。
【００８２】
本発明に従ったクレードル１０は、簡素であり、背もたれの水平な部分に掛けて、背もたれの一部の下縁部に対して支持するようにロック装置を延在することにより椅子の背に確実にロックすることによって通常の椅子または子供用シートの上に搭載するのが容易となっている。側部材上のボタンの作動により、ロック装置は、クレードルが搭載される椅子からクレードルが容易に解放されるように、かつ椅子がその通常の目的のために用いられ得ると同時にクレードルが床上で自立位置または支持フラップ１５０の補助により床上で傾斜位置にて用いられるように、クレードルの中へと退避または部分的に退避し得る。したがって、ダイニングテーブルでのようにクレードルを高い位置に配置することと、床または別の基部上にクレードルを設置することとを切り替えるためにスタンドのようなさらなる部品の必要がない。また、クレードルが椅子に取り付けられない際には保持および保管されなければならないアセンブリ取付具または他の異なる部品もしくはねじも必要ない。搭載および取外しは、工具の使用なしで達成され得る。
【図１】
0005919264.tif 000002
【図２】
0005919264.tif 000003
【図３】
0005919264.tif 000004
【図４】
0005919264.tif 000005
【図５】
0005919264.tif 000006
【図６Ａ】
0005919264.tif 000007
【図６Ｂ】
0005919264.tif 000008
【図６Ｃ】
0005919264.tif 000009
【図７Ａ】
0005919264.tif 000010
【図７Ｂ】
0005919264.tif 000011
【図７Ｃ】
0005919264.tif 000012
【図８Ａ】
0005919264.tif 000013
【図８Ｂ】
0005919264.tif 000014
【図８Ｃ】
0005919264.tif 000015
【図９Ａ】
0005919264.tif 000016
【図９Ｂ】
0005919264.tif 000017
【図１０】
0005919264.tif 000018
【図１１】
0005919264.tif 000019
【図１２】
0005919264.tif 000020
【図１３】
0005919264.tif 000021
【図１４Ａ】
0005919264.tif 000022
【図１４Ｂ】
0005919264.tif 000023
【図１４Ｃ】
0005919264.tif 000024
【図１５】
0005919264.tif 000025
【図１６Ａ】
0005919264.tif 000026
【図１６Ｂ−１６Ｃ】
0005919264.tif 000027
【図１７Ａ】
0005919264.tif 000028
【図１７Ｂ】
0005919264.tif 000029
【図１８】
0005919264.tif 000030
【図１９】
0005919264.tif 000031
【図２０Ａ】
0005919264.tif 000032
【図２０Ｂ】
0005919264.tif 000033